(57)【要約】【課題】締付リングの開放、閉鎖又は開閉を人手で容易に行い得る締付バンド用補助工具を提供すること【解決手段】締付バンド用補助工具１は、締付リング３０とリンク５０と締付リング３０の端部３２に枢支ピン４５で連結されたレバー６０とを有し枢支ピン４５のまわりに開口６４を備える締付バンド５を開くべく、全体としてＵ字状で該Ｕを構成する一対の脚部２２，２５及び脚部連結部２４を備えた剛性の先端係合部２０と、該先端係合部のうち基端側の脚部に連結されレバーよりも長い腕部１０とを有し、締付位置Ｐ１にある締付バンド５に対して先端係合部２０が開口６４内に挿入された状態で該締付バンド５を開く方向Ｄ１に回動された際、脚部連結部２４の外面２６で枢支ピン４５に当接すると共に、先端側脚部２５の内縁２７ａで締付バンド５の開口６４の基端側周壁６１の内面６１ａに当接してレバー６０を開方向Ｅ１に回動させる。【選択図】図６
2008101722.tif 000002
【特許請求の範囲】
【請求項１】
締付リングと該締付リングの一方の端部に回動可能に一端で連結されたリンクと前記締付リングの他方の端部に枢支ピンを介して基端部で回動可能に連結され中間部で前記リンクの他端に回動可能に連結されたレバーとを有し、且つ該レバーが前記枢支ピンに連結された前記基端部に前記枢支ピンを含む領域を露出させる開口を規定する先端側周壁部を備えるタイプの締付バンドを開くための締付バンド用補助工具であって、
全体としてＵ字状で、「Ｕ」を構成する一対の脚部のうち先端側の脚部及び該先端側の脚部と基端側の脚部とを結ぶ脚部連結部が前記開口に挿入可能な剛性の先端係合部と、
該先端係合部の「Ｕ」を構成する一対の脚部のうち基端側の脚部に先端で連結され基端側に把手部を備えた腕部とを有し、
締付位置にある前記締付バンドに対して先端係合部が前記開口内に挿入された状態で該締付バンドを開く方向に回動された際、前記脚部連結部の外側面で前記枢支ピンに当接すると共に、前記先端側脚部の内縁で前記レバーの前記開口の先端側周壁部の内面に当接して該レバーを開方向に回動させるように構成された締付バンド用補助工具。
【請求項２】
前記腕部が、前記先端係合部の「Ｕ」を構成する一対の脚部のうち基端側の脚部に先端で連結され前記把手部に基端で連結された腕本体部を備え、腕本体部がレバーの外表面に係合される係合凹部を内面側に有し、
開き位置にある前記締付バンドに対して先端係合部が前記開口内に挿入された状態で該締付バンドを締める方向に回動された際、前記先端側脚部の内縁で前記締付バンドの前記開口の先端側周壁部の内面に当接すると共に、腕本体部の内面側の凹部がレバーの外表面に係合してレバーを締付バンドの閉じ方向に回動させるように構成された請求項１に記載の締付バンド用補助工具。
【請求項３】
締付リングと該締付リングの一方の端部に回動可能に一端で連結されたリンクと前記締付リングの他方の端部に枢支ピンを介して基端部で回動可能に連結され中間部で前記リンクの他端に回動可能に連結されたレバーとを有し、且つ該レバーが前記枢支ピンに連結された前記基端部に前記枢支ピンを含む領域を露出させる開口を規定する先端側周壁部を備えるタイプの締付バンドを締めるための締付バンド用補助工具であって、
全体としてＵ字状で、「Ｕ」を構成する一対の脚部のうち先端側の脚部及び該先端側の脚部と基端側の脚部とを結ぶ脚部連結部が前記開口に挿入可能な剛性の先端係合部と、
該先端係合部の「Ｕ」を構成する一対の脚部のうち基端側の脚部に先端で連結されレバーの外表面に係合される係合凹部を内面側に備えた腕本体部、及び該腕本体部の基端に連結された把手部を具備する腕部とを有し、
開き位置にある前記締付バンドに対して先端係合部が前記開口内に挿入された状態で該締付バンドを締める方向に回動された際、前記先端側脚部の内縁で前記締付バンドの前記開口の先端側周壁部の内面に当接すると共に、腕本体部の内面側の凹部がレバーの外表面に係合してレバーを締付バンドの閉じ方向に回動させるように構成された締付バンド用補助工具。
【請求項４】
締付位置にある前記締付バンドに対して先端係合部が前記開口内に挿入された状態で該締付バンドを開く方向に回動された際、前記脚部連結部の外側面で前記枢支ピンに当接するように先端係合部が構成されると共に、前記先端側脚部の内縁で前記締付レバーの前記開口の先端側周壁の内面に当接して該レバーを開方向に回動させるように構成された請求項３に記載の締付バンド用補助工具。
【請求項５】
前記締付バンドが筒状体の締付用のバンドである請求項１から４までのいずれか一つの項に記載の締付バンド用補助工具。
【請求項６】
前記筒状体が天蓋を備えたオープンタイプのドラム缶であり、締付バンドが該天蓋を固定するものである請求項５に記載の締付バンド用補助工具。
【請求項７】
前記筒状体が天蓋を備えたペール缶であり、締付バンドが該天蓋を固定するものである請求項５又は６に記載の締付バンド用補助工具。
【発明の詳細な説明】
【技術分野】
【０００１】
本発明は、ペール缶の如きオープンタイプの缶の天蓋の固定等に用いられる締付バンドを開いたり閉じたりするために用いられる新規な補助工具に係る。
【０００２】
ペール缶は、典型的には、ドラム缶のうち把手のついた１８リットル〜２０リットル程度の容器を指すけれども、この明細書では、把手がないものも含むものとする。また、天蓋の固定に締付バンドが用いられるオープンタイプのドラム缶であれば、缶のサイズは問わない。
【背景技術】
【０００３】
締付リングと該締付リングの一方の端部に回動可能に一端で連結されたリンクと前記締付リングの他方の端部に枢支ピンを介して基端部で回動可能に連結され中間部で前記リンクの他端に回動可能に連結されたレバーとを有する締付バンドは、オープンタイプのドラム缶やペール缶において、天蓋の固定に広く用いられており、周知である。
【０００４】
この締付バンドは、本来、人が手動で操作可能なようにレバーを備え、レバーの先端部（枢支ピンに連結され基端部とは反対側の端部）を掴んで回動させることにより、開閉可能である。
【０００５】
しかしながら、缶の内容物の不測の漏洩等の虞れを最低限に抑えるべく、小さな外力で誤って開くことのないように、締付バンドのレバーの長さは最低限に抑えられ、締付バンドの開閉には、比較的大きな力（例えば、１００Ｎ（１０ｋｇｆ）程度又はそれ以上）を要する。また、缶の運搬や移動や各種の取扱いの際に、締付状態にある締付バンドが人の衣服等に引っ掛ったり人を傷付けたりすることないように、締付バンドを閉じた状態において、締付バンドのレバーやリンクは、缶の外周からの突出が最低限になるような形状を有する。その結果、締付バンドのレバーの先端部は、実際上、缶の外周、より詳しくは締付リングの外周に沿って位置し、該リングとの間には人の指が自由に入るような隙間は実際上ない。
【０００６】
締付バンドを備えた缶の開閉操作を伴う作業現場では、多数の缶の開閉を行う必要があることも少なくない。例えば、薬品や油や塗料等の粉粒体ないし液体をペール缶に入れる現場では、工場からの出荷等の際、レバーの開閉動作を多数回行う必要がある。締付バンドのレバーの開閉には相当大きな力を要することから、このような多数の締付バンドの取扱いは、極めて過酷な作業になり、締付の際にレバーと締付リングとの間に指等を挟んで怪我をすることも少なくない。
【０００７】
締付バンドにこのような問題があること自体は、従来から、認識され、改善が望まれていた（例えば、特許文献１や特許文献２）。
【０００８】
しかしながら、前者（特許文献１）の意図する改良は、上述のような締付バンドの欠点を避けるべく、締付バンドの代わりに別の構造体によって天蓋を固定しようとするもので、上述のような締付バンドの利用を放棄するものである。
【０００９】
一方、後者（特許文献２）は、締付バンドの開閉のために、大掛かりな開き装置や締め装置を持ち込もうとするものであり、人一人が直接一応の開閉作業を行い得ることにより簡便な開閉を意図する締付バンドの長所を実際上殺してしまうものであり、その適用可能な場面は限られる。なお、この特許文献２では、締付バンドの開閉に際して、レバーの腕の長さを利用して（すなわち、レバーのうち枢支ピンに連結された基端部とは反対側の先端部又はその近傍部分を利用して）、開閉を行なおうとする点では、締付バンドのレバー本来の機能をそのまま利用している。
【００１０】
また、作業現場では、締付バンドのレバーの先端部（枢支ピンに連結された基端部とは反対側の端部）に多少可撓性のあるパイプの一端を差し込んでレバーの腕の長さを長くして開閉を容易にすることも試みられているけれども、締付バンド及びそのレバーの形状・構造からして、レバーの開閉は必ずしも容易ではなく、パイプが抜けると不測の怪我をする虞れもある。
【００１１】
なお、以上のような構造を有する締付バンドは、長年使用されてきたもので、基本構造は長年変わっていない（例えば、特許文献３〜５）。
【特許文献１】登録実用新案第３０５６０２５号公報
【特許文献２】特開２００１−９８３０８号公報
【特許文献３】実公昭３５−６１８６号公報
【特許文献４】実公昭５３−２２２１５号公報
【特許文献５】実公昭５８−５４３７１号公報
【発明の開示】
【発明が解決しようとする課題】
【００１２】
以上のように長年の懸案であるにもかかわらず未だに解決されていない締付バンドの開閉に伴う問題について、本発明者は、常々思案していたところ、締付バンドが、実際には、レバーの基端部（枢支ピンに連結された端部）のところに開口を有し、この開口を利用してレバーの回動を行い得る可能性があることに気づいた。
【００１３】
すなわち、上述のような締付バンドでは、レバーが、枢支ピンに連結された基端部に該枢支ピンを含む領域を露出させる開口を規定する先端側周壁部を備える。ここで、この開口は、締付バンドの機能上は不可欠なものではないけれども、多量に使用される締付バンドが所望の機械的強度を確保しつつ安価に量産され得るためには、実際上不可欠なものになっていると考えられ、オープン式ドラム缶やベール缶の天蓋の固定のために広く利用されている締付バンドのレバーは、どのメーカーのものでも、この開口を備え、且つ該開口を規定する先端側周壁部を備える。しかも、締付バンドの封緘の仕方等については各種の改良が試みられているけれども、締付リングとレバーとの結合構造は前述の通り長年同じ状態に保たれており、その機能や強度及び製造コストの両面から一つの最良の形態にいきついているものと考えられる。
【００１４】
以上のような状況下において、本発明者は、この開口及び該開口の先端側周壁部を利用してレバーの回動を行い得るようにすれば、実際上、締付バンドの開閉を行い得ると考えて、本発明に至った。なお、締付バンドでは、その開閉を行うためにレバーがあり、レバーはその腕の長さを利用するものであることから、締付バンドの開閉に際しては、本来、レバーの先端部（枢支ピンに連結された基端部とは反対側の端部）又はその近傍の部分を利用すべきものであるけれども、上述の通り、レバーは締付リングに沿って最低限の長さで延びその先端部の利用を拒む形状を備えるという背理を含む。そこで、本発明者は、特許文献２等とは異なり、発想を転換して、この背理をそのまま受け入れることにより、本発明に到達した。
【００１５】
本発明は、前記諸点に鑑みなされたものであって、その目的とするところは、締付リングの開放（開き乃至締付解除）若しくは閉鎖（閉じ乃至締付け）又は開閉の両方を人手で容易に行い得る締付バンド用補助工具を提供することにある。
【課題を解決するための手段】
【００１６】
本発明の締付バンド用補助工具は、前記目的を達成すべく、締付リングと該締付リングの一方の端部に回動可能に一端で連結されたリンクと前記締付リングの他方の端部に枢支ピンを介して基端部で回動可能に連結され中間部で前記リンクの他端に回動可能に連結されたレバーとを有し、且つ該レバーが前記枢支ピンに連結された前記基端部に前記枢支ピンを含む領域を露出させる開口を規定する先端側周壁部を備えるタイプの締付バンドを開いたり閉じたりするための締付バンド用補助工具であって、
（１）全体としてＵ字状で、「Ｕ」を構成する一対の脚部のうち先端側の脚部及び該先端側の脚部と基端側の脚部とを結ぶ脚部連結部が前記開口に挿入可能な剛性の先端係合部と、該先端係合部の「Ｕ」を構成する一対の脚部のうち基端側の脚部に先端で連結され基端側に把手部を備えた腕部とを有し、締付位置にある前記締付バンドに対して先端係合部が前記開口内に挿入された状態で該締付バンドを開く方向に回動された際、前記脚部連結部の外側面で前記枢支ピンに当接すると共に、前記先端側脚部の内縁で前記レバーの前記開口の先端側周壁部の内面に当接して該レバーを開方向に回動させるように構成される、又は
（２）全体としてＵ字状で、「Ｕ」を構成する一対の脚部のうち先端側の脚部及び該先端側の脚部と基端側の脚部とを結ぶ脚部連結部が前記開口に挿入可能な剛性の先端係合部と、該先端係合部の「Ｕ」を構成する一対の脚部のうち基端側の脚部に先端で連結されレバーの外表面に係合される係合凹部を内面側に備えた腕本体部、及び該腕本体部の基端に連結された把手部を具備する腕部とを有し、開き位置にある前記締付バンドに対して先端係合部が前記開口内に挿入された状態で該締付バンドを締める方向に回動された際、前記先端側脚部の内縁で前記締付バンドの前記開口の先端側周壁部の内面に当接すると共に、腕本体部の内面側の凹部がレバーの外表面に係合してレバーを締付バンドの閉じ方向に回動させるように構成される。
【００１７】
本発明の締付バンド用補助工具のうち（１）の形態の締付バンド補助工具では、「締付位置にある締付バンドに対して先端係合部が前記開口内に挿入された状態で該締付バンドを開く方向に回動された際、「Ｕ」の脚部連結部の外側面で前記枢支ピンに当接すると共に、「Ｕ」の先端側脚部の内縁で締付バンドの前記開口の先端側周壁部の内面に当接して前記レバーを開方向に回動させるように構成される」から、補助工具のうち腕部の基端側の把手部を手で掴んで該把手部に回動力をかけるだけで、補助工具のうち「Ｕ」の脚部連結部の外側面が当接した枢支ピンが支点となって、「Ｕ」の先端側脚部の内縁で締付バンドの前記開口の先端側周壁部の内面に当接して前記レバーを開方向に回動させて、レバーを開き得る。従って、怪我などの虞れなく締付バンドを開き得る。ここで、補助工具は、締付バンドのレバーよりも十分に長くし得るから、女性など非力な人でも、疲労することなく、小さな力で容易に、締付バンドを開き得る。
【００１８】
以上において、補助工具は、回動されるべきレバーの基端側の枢支ピンを利用するもののレバーの腕の長さは利用していない。すなわち、この補助工具は、レバーの基端部近傍部分に形成されている開口を積極的に利用して、実際上締付リングの外周面に張り付いたような形状のレバーを開くもので、従来想定していなかった態様によりレバーを開くものである。補助工具の「Ｕ」字状の先端係合部の先端側脚部は、開口の先端側周壁部の内面に当接するもので、その当接位置から枢支ピンまでの距離はレバーの腕の長さと比較して小さいものの、開口に挿入可能な脚部連結部で十分な剛性が確保され得るから、補助工具の腕部の長さを十分に長くしておけば、レバーを容易に開き得る。例えば、腕の長さが１０ｃｍ弱程度のレバーを備えた締付リングに対して、補助工具の先端側脚部の長さが３ｍｍ程度で腕の長さが２５ｃｍ程度とした場合、極めて小さい力でレバーを開位置まで容易に回動し得ることを確認した。
【００１９】
なお、補助工具の先端係合部は、脚部連結部が外側面で枢支ピンの外周面に対面するように開口内に挿入されているので、閉状態にある締付バンドに対してそのレバーを開く方向に補助工具を回動させるだけで、補助工具に対して別段の位置決めを行わなくても且つ補助工具の先端係合部を所定位置に保持するために別段の位置規制を行わなくても、脚部連結部の外側面が枢支ピンの外周面のうち隣接・対向する部分に当接するから、補助工具によるレバーの開動作は安定に行われ得る。
【００２０】
以上において、また、この明細書において、締付リングのレバーについては、枢支ピンに連結されている側の端部を基端部と呼び、その反対側の端部を先端部と呼ぶ。一方、補助工具については、把手のあるほうの端部を基端部と呼び、その反対側の端部すなわち係合部のある側の端部を先端部と呼ぶ。なお、枢支ピンは、典型的には、レバーにも、締付リングの端部（前記他方の端部）にある該枢支ピン支持部にも固定されていないけれども、所望ならば、いずれかに固定されていてもよい。
【００２１】
また、以上において、「Ｕ」を構成する一対の脚部は、典型的には、平行であるけれども、該一対の脚部が相互に対面して延在する限り、開口への挿入や開口からの取出しが容易になるように「Ｕ」の開口に向かって拡がっていても、その逆に狭まっていてもよく、また、一対の脚部のうち一方又は両方の脚部の対向面が平面の代わり湾曲していたり凹凸を有していてもよい。また、「Ｕ」を構成する一対の脚部を連結する脚部連結部は、典型的には、該一対の脚部に直交する方向に延在する直線状であるけれども、その代わりに、斜交していても、湾曲している等、非直線状であってもよい。
【００２２】
すなわち、「Ｕ」を構成する一対の脚部のうち先端側の脚部の先端部またはその近傍において、締付バンドの開口の先端側周壁部の内面に係合し得る限り、先端側脚部の内面の全体が開口の先端側周壁部の内面に当接しなくてもよい。従って、「Ｕ」の形状は、この係合を確保し得る形状であれば、「コ」の字状であっても、湾曲した「Ｕ」字状であってもよい。
【００２３】
以上のように、本発明の締付バンド用補助工具のうち（１）の態様のものは、締付バンド用開き補助工具ないし締付バンド開き用補助工具として働き得る。
【００２４】
本発明の締付バンド用補助工具のうち（２）の形態の締付バンド補助工具では、「開き位置にある締付バンドに対して先端係合部が締付バンドの開口内に挿入された状態で該締付バンドを締める方向に回動された際、補助工具の「Ｕ」字状先端係合部の先端側脚部の内縁で締付バンドの開口の先端側周壁部の内面に当接すると共に、腕部の腕本体部の内面側の凹部がレバーの外表面に係合してレバーを締め方向に回動させるように構成される」から、閉方向の回動に際して、レバーに対して該レバーよりも長い腕部を備えた補助工具が該レバーに実際上一体化されたように働き得、且つ人が手で把持し易いようにレバーの取手部が突出し得るので、作業者が取手部を把持して補助工具を回動させるだけで、レバーを容易に閉方向に回動させて、締付バンドを閉じ（締付け）得る。従って、怪我などの虞れなく締付バンドを閉め（締め）得る。ここで、補助工具は、締付バンドのレバーよりも十分に長くし得るから、女性など非力な人でも、疲労することなく、小さな力で容易に、締付バンドを閉め（締め）得る。
【００２５】
なお、この締付バンド補助工具では、該工具の腕本体部が内面に締付バンドのレバーの外面に係合する凹部を備えるので、補助工具はレバーを安定に支え得る。ここで、腕本体部の「凹部」は、レバーが横にずれるのを規制し得るように、レバーの外に凸の表面の位置ズレを規制し得る程度の係合を確保できれば足る。従って、凹部は、該凹部内にレバーの外表面の実際上全体を受容するような大きなものであってもよいけれども、その代わりに、位置ズレを規制する程度の細かな凹凸を形成する凹部ないし溝部等であってもよい。
【００２６】
この場合においても、先端係合部について、「Ｕ」とは、前述のような形状を指す。「Ｕ」を構成する一対の脚部のうち先端側の脚部の基部（脚部連結部につながる部分）またはその近傍において、締付バンドの開口の基端側周壁部の縁部に係合し得る限り、先端側脚部の内面の全体が開口の基端側周壁部の内面に当接しなくてもよい。従って、「Ｕ」の形状は、この係合を確保し得る形状であれば、「コ」の字状であっても、湾曲した「Ｕ」字状であってもよい。
【００２７】
以上のように、本発明の締付バンド用補助工具のうち（２）の態様のものは、締付バンド用締め（閉じ）補助工具ないし締付バンド締め（閉じ）用補助工具として働き得る。
【００２８】
以上において、本発明の締付バンド用補助工具が、締付バンド開き用補助工具として働くに必要な構造と、締付バンド締め（閉じ）用補助工具として働くに必要な構造とは、実際上、殆ど重なる共通の構造を有する。従って、夫々に、僅かな条件を付加するだけで、締付バンド開き用補助工具が締付バンド締め（閉じ）用補助工具としても機能し得、同様に、締付バンド締め（閉じ）用補助工具が締付バンド開き用補助工具としても機能し得る。
【００２９】
より詳しくは、本発明の締付バンド用補助工具のうち（１）の態様の締付バンド開き用補助工具は、典型的には、前記腕部が、前記先端係合部の「Ｕ」を構成する一対の脚部のうち基端側の脚部に先端で連結され前記把持部に基端で連結された腕本体部を備え、腕本体部がレバーの外表面を受容する凹部を内面側に有し、開き位置にある前記締付バンドに対して先端係合部が前記開口内に挿入された状態で該締付バンドを締める方向に回動された際、前記先端側脚部の内縁で前記締付バンドの前記開口の基端側周壁の内面に当接すると共に、腕本体部の内面側の凹部にレバーの外表面を受容してレバーを締め方向に回動させるように構成される。
【００３０】
この締付バンド用補助工具は、前述のように、締付バンド締め（閉め）用補助工具としても機能し得るから、この締付バンド用補助工具は、締付バンド開閉用補助工具として機能し得る。
【００３１】
同様に、本発明の締付バンド用補助工具のうち（２）の態様の締付バンド開き用補助工具は、典型的には、締付位置にある前記締付バンドに対して先端係合部が前記開口内に挿入された状態で該締付バンドを開く方向に回動された際、前記脚部連結部の外面で前記枢支ピンに当接するように先端係合部が構成されると共に、前記先端側脚部の内縁で前記締付バンドの前記開口の基端側周壁の内面に当接して前記レバーを開方向に回動させるように構成される。
【００３２】
この締付バンド用補助工具は、前述のように、締付バンド開き用補助工具としても機能し得るから、この締付バンド用補助工具は、締付バンド開閉用補助工具として機能し得る。
【００３３】
本発明の締付バンド用補助工具では、典型的には、前記締付バンドは、筒状体の締付用のバンドである。但し、所望ならば、他の物品の締付に用いられる締付バンドに対して、本発明の締付バンド用補助工具が適用されるようになっていてもよい。ここで、筒状体は、典型的には、円筒状であるけれども、角筒状等他の形状でもよい。
【００３４】
本発明の締付バンド用補助工具では、典型的には、前記筒状体が天蓋を備えたオープンタイプのドラム缶又は天蓋を備えたペール缶であり、締付バンドが該天蓋を固定するものである。
【００３５】
この場合、女性など非力な人でも締付バンドの開閉が容易に行われ得るので、天蓋の着脱が容易に行われ得る。
【発明を実施するための最良の形態】
【００３６】
次に、本発明の好ましい一実施の形態を添付図面に示した好ましい一実施例に基づいて説明する。
【実施例】
【００３７】
本発明の好ましい一実施例の締付バンド用補助工具について説明する前に、該締付バンド用補助工具が適用される締付バンド５を備えたペール缶７について図５に基づいて説明する。締付バンド用補助工具が適用される締付バンド５付きのペール缶７は、典型的には、「ＪＩＳ  Ｚ１６２０」に規定の鋼製ペールからなり、Ｔ形２種のバンドタイプである。但し、補助工具が適用可能である限り、これに限定されない。
【００３８】
ペール缶７は、缶本体８０と、天蓋９０と、締付バンド５とを有する。缶本体８０、天蓋９０及び締付バンド５は、夫々、鋼製の如き金属製である。但し、場合によっては、樹脂等の他の材料でできていてもよい。缶本体８０は、例えば薬品や油や塗料やその他の化学品等を収容するもので、円筒状ないし上部程径の大きい円錐台状で、上端に横断面が円形になるように折曲加工され径方向に僅かに突出した開口縁部８１を備える。なお、開口縁部８１の横断面は、円形である代わりに、長円形等他の形状であってもよい。この例では、缶本体８０は、把手８２を備える典型的なペール缶本体からなる。但し、把手８２は、なくてもよい。また、この例では、缶本体８０は、円筒状であるけれども、滑らかに湾曲した角部を備える角筒状であってもよい。
【００３９】
天蓋９０は、円板状の中央蓋部９１と、該中央蓋部９１の外周縁部に形成され缶本体８０の上端の開口縁部８１の上部に嵌る円形の係合縁部９２とを備える。係合縁部９２は、横断面が逆Ｕ字状で下向きに開いた凹部（図示せず）内にゴムその他のリング状のシール材（図示せず）が嵌込まれている。従って、天蓋９０を缶本体８０に被せると、係合縁部９２のシール材が缶本体８０の開口縁部８１の上端部及びその周囲に密着されるように被せられた状態で、係合縁部９２が缶本体８０の上端開口縁部８１の上部に嵌合する。天蓋９０の円形中央蓋部９１は、外周縁の係合縁部９２よりも下方に位置し、天蓋９０を缶本体８０に被せた状態では、天蓋９０の中央蓋部９１は、典型的には、缶本体８０の開口内に僅かに嵌り込む。
【００４０】
締付バンド５は、図５に加えて、図３の（ａ）及び（ｂ）並びに図４（但し、この図では、後述の補助工具１が差し込まれた状態で示されている）に示したように、全体としてほぼ円形の締付リング３０と、リンク５０と、レバー６０とを有する。締付バンド５を構成する締付リング３０、リンク５０及びレバー６０は、典型的には、板金の打抜き・折曲体からなり、ピンで相互に連結されている。
【００４１】
締付リング３０は、板金の打抜・折曲体からなり、両端部３１，３２の間に周方向間隙Ａを備える点を除き、全体としてほぼ円形の平面形状を有する本体部３３を備える。締付リング本体部３３は、端部３１，３２間の間隙Ａの大きさを変えるような変形に対して弾性を有する。締付リング本体部３３は、内周側に開口３４を備えた「Ｃ」字状ないし「Ｕ」字状の横断面形状を有する。締付リング３０が組付けられた際には、本体部３３の「Ｃ」の上端縁３５側が天蓋９０の係合縁部９２の上部９３に被さり、「Ｃ」の下端縁３６側が缶本体８０の開口縁部８１の下部８３に被さると共に、「Ｃ」の凹部の内周面（底面）３７が、天蓋９０の係合縁部９２の外周面９４及び缶本体８０の開口縁部８１の外周面８４に接するか又は近接する。
【００４２】
締付リング３０の一方の端部３１にはピン支持体３８が取付けられ、他方の端部３２にはもう一つのピン支持体３９が取付けられている。ピン支持体３８は、締付リング本体部３３の外周面に固定された基板部４０と、本体部３３の端部３１の端縁３１ａの近傍において該基板部４０の両側縁から立ち上がって径方向外向きに延びたピン支持壁部４１ａ，４１ｂ（両者を区別しないとき又は総称するときは符号４１で表す）とを有し、ピン支持壁部４１ａ，４１ｂ間には、枢支ピン４２が取付けられている。同様に、ピン支持体３９は、締付リング本体部３３の外周面に固定された基板部４３と、本体部３３の端部３２の端縁３２ａの近傍において該基板部４０の両側縁から立ち上がって径方向外向きに延びたピン支持壁部４４ａ，４４ｂ（両者を区別しないとき又は総称するときは符号４４で表す）とを有し、ピン支持壁部４４ａ，４４ｂ間には、枢支ピン４５が取付けられている。
【００４３】
リンク５０は、一対の細長い板状のリンク部材５１ａ，５１ｂ（両者を区別しないとき又は総称するときは符号５１で表す、他の同様な要素についても以下同）からなる。リンク部材５１ａの一端部５２ａは、枢支ピン４２の大径頭部４２ａとピン支持体３８のピン支持壁部４１ａとの間において回動可能に枢支ピン４２によって枢支されている。同様に、リンク部材５１ｂの一端部５２ｂは、枢支ピン４２の大径カシメ端部４２ｂとピン支持体３８のピン支持壁部４１ｂとの間において回動可能に枢支ピン４２によって枢支されている。
【００４４】
ここでは、リンク部材５１が板金の打抜体（細長い板状部材）からなり、枢支ピン４２によって支持されている例について説明しているけれども、その代わりに、例えば、リンク部材が棒状ないしピン状の部材からなり、該棒状ないしピン状の部材の一端又は中間折曲端がそのままピン支持体３８によって支持されるようになっていてもよい。
【００４５】
レバー６０は、板金の打抜・折曲体からなり、Ｕ字状の横断面形状を有する。より詳しくは、レバー６０は、外周壁部６１と、該外周壁部６１の上縁側の上側壁部６２ａと、該外周壁部６１の下縁側の下側壁部６２ｂとを備え、上側壁部６２ａ及び下側壁部６２ｂがＵの二つの脚部をなす。二つの側壁部６２ａ，６２ｂを区別しないとき又は総称するときは符号６２で表す。
【００４６】
レバー６０は、基端部６３において、枢支ピン４５を介して、ピン支持体３９に回動可能に連結されている。より詳しくは、レバー６０の上側壁部６２ａの基端部６３ａが、枢支ピン４５の大径頭部４５ａとピン支持体３９のピン支持壁部４４ａとの間において回動可能に枢支ピン４５によって枢支され、レバー６０の下側壁部６２ｂの基端部６３ｂが、枢支ピン４５の大径カシメ端部（図示せず）とピン支持体３９のピン支持壁部４４ｂとの間において回動可能に枢支ピン４５によって枢支されている。
【００４７】
図３の（ｂ）からわかるように、レバー６０の外周壁部６１は、レバー６０の基端部６３及びその近傍で切欠かれており、レバー６０は、該基端部６３及びその近傍に枢支ピン４５が露出する（ピン４５が外部から見え、該ピン４５に外部から接近可能である）開口６４を有する。レバー６０の外周壁部６１のうち、開口６４を規定し該開口６４よりも先端側に位置する周壁部６５すなわち開口６４についての先端側周壁部６５の基端側縁部６６と枢支ピン４５の円柱状本体部４５ｃの隣接する外周面部との間には、大きさＧの周方向間隙６７がある。この間隙６７の大きさＧは、ピン支持体３９の支持壁部４４の周方向への突出長にほぼ等しい。
【００４８】
レバー６０は、その長手方向中間部の部位６８で、枢支ピン５３を介して、リンク５０の端部５４に回動可能に連結されている。より詳しくは、リンク５０の上側リンク部材５１ａの端部５４ａが、枢支ピン５３の大径頭部５３ａとレバー６０の上側壁部６２ａの中間部の部位６８ａとの間において回動可能に枢支ピン５３によって枢支され、リンク５０の下側リンク部材５１ｂの端部５４ｂが、枢支ピン５３のカシメ端部５３ｂとレバー６０の下側壁部６２ｂの中間部の部位６８ｂとの間において回動可能に枢支ピン５３によって枢支されている。
【００４９】
従って、締付バンド５は、図３の（ａ）及び（ｂ）に示したような閉位置（閉じ位置）ないし締付位置（状態）Ｐ１と、図４や図５に示したような開位置（開き位置）ないし締付解除位置（状態）Ｐ２との間で、可動である。
【００５０】
締付バンド５が、閉位置ないし締付位置Ｐ１にある場合、図３の（ａ）及び（ｂ）からわかるように、締付リング３０が天蓋９０の外周に沿う締付位置Ｑ１を採り、レバー６０も該締付位置Ｑ１にある締付リング３０の外周に沿う締付位置Ｔ１を採る。図３の（ａ）からわかるように、このとき、リンク５０もほぼ周方向に延びる。より詳しくは、締付バンド５が締付位置Ｐ１にある場合、図３の（ａ）に示したように、レバー６０の枢支ピン４５の回動中心軸線Ｃ１は、リンク５０の両端５２，５４を支える枢支ピン４２，５３の回動中心軸線Ｃ２，Ｃ３を結ぶ仮想線Ｖ１（想像線）よりも外側（缶７の径方向外側）に位置する。
【００５１】
なお、レバー６０は、天蓋９０及び締付リング３０の外周に沿うような円弧状形状を有し、レバー６０が締付状態Ｔ１にある場合、レバー６０の端部６９は、実際上、締付リング３０の外周面に近接または密接する位置を採る。
【００５２】
締付バンド５が、開位置ないし締付解除位置Ｐ２にある場合、図５や図４からわかるように、締付リング３０が天蓋９０の外周から離れた締付解除位置Ｑ２を採り、レバー６０も締付リング３０の外周から離れた締付解除位置Ｔ２を採る。図５や図４からわかるように、このとき、リンク５０も周方向からズレた位置を採る。より詳しくは、締付バンド５が締付解除位置Ｐ２にある場合、図４のからわかるように、レバー６０の枢支ピン４５の回動中心軸線Ｃ１は、リンク５０の両端５２，５４を支える枢支ピン４２，５３の回動中心軸線Ｃ２，Ｃ３を結ぶ仮想線Ｖ１（想像線）よりも内側（缶７の径方向内側）に位置する。
【００５３】
レバー６０の先端部６９の近傍には、閂穴として働く被係合孔部７０が形成され、レバー６０が閉状態Ｔ１にある際に、締付リング３０に枢支された閂レバー４７が係合可能である。閂レバー４７（図５参照）が被係合孔部７０に嵌められると、締付バンド５の開放が禁止される。閂レバー４７が孔部７０に嵌合された状態で該レバー４７の先端が折り曲げられることにより、封緘が行われる。一方、閂レバー４７の被係合孔部７０への係合が解除されると、レバー６０の回動が許容され、締付バンド５の締付解除が許容される。なお、レバー６０の開閉を禁止したり許容する構造は、閂レバー４７と被係合孔部７０との組合せの代わりに、封緘用のピン状体を用いるなど、他の構造であってもよい。
【００５４】
以上の説明からわかるとおり、本発明の好ましい一実施例の締付バンド開閉補助工具１が適用される締付バンド５は、締付リング３０と該締付リング３０の一方の端部３１に回動可能に一端で連結されたリンク５０と締付リング３０の他方の端部３２に枢支ピン４５を介して基端部６３で回動可能に連結され中間部の部位６８でリンク５０の他端５４に回動可能に連結されたレバー６０とを有することに加えて、特に、レバー６０が枢支ピン４５に連結された基端部６３において、枢支ピン４５の本体部４５ｃを含む領域を露出させる開口６４を規定する先端側周壁部６５を備えるタイプのものである。
【００５５】
次に、図１及び図２の（ａ）を参照して、本発明の好ましい一実施例の締付バンド開閉補助工具１について説明する。
【００５６】
締付バンド用補助工具としての締付バンド開閉補助工具１は、典型的には金属製で、図１及び図２の（ａ）からわかるように、腕部１０と、該腕部１０の先端部１１から延在する先端係合部２０とを有する。なお、十分な機械的強度及び剛性が確保される限り、一部又は全部が金属の代わりに、樹脂やセラミック材料でできていてもよい。
【００５７】
腕部１０は、先端側の腕本体部１２と、該腕本体部１２の基端１３につながった把手部ないし把持部１４とを有する。把手部１４は、軽量化のために中空で、外周面１４ａに滑り止めの凹凸が形成されている。把手部１４の基端部１４ｂに工具１を壁等に掛け易くするための掛止部が形成されていてもよい。掛止部は、例えば、紐やピン等を通す孔１４ｃからなる。なお、重量が問題にならない場合、取手部は中実な円柱状であってもよい。把手部１４は、基端部に大径突出部１８を有する。従って、把手部１４を把持した手が滑り易いような場合でも、力を入れた際に手が基端側に外れる虞れが少ない。
【００５８】
腕本体部１２は、把持を容易にするために把手部１４に対して角度αだけ傾斜している。この例では、角度αは、１０度程度である。但し、より大きくてもより小さくてもよい。なお、腕部１０は典型的にはレバー６０よりも十分長いので、角度αはゼロ（腕本体部１２と把手部１４とが一直線状）でもよい。
【００５９】
以下では、説明の簡明化のために、締付バンド開閉補助工具１に固定したＸＹＺ直交座標系（右手系）を採る。腕本体部１２の延在方向に沿って先端に向かう向きにＺ軸を採り、図１の紙面（平面）に垂直に手前向きにＸ軸を採る。腕本体部１２は、先細形状を有し、傾斜方向外側面（Ｙ方向に向いた表面）に長手方向に沿って延びる凹部１５を有する。従って、腕本体部１２のうち凹部１５のある領域における横断面は、ほぼＵ字状の形状を有する。この凹部１５も軽量化のためであり、なお、重量が問題にならない場合、腕本体部１２の凹部１５はなくてもよい。
【００６０】
腕本体部１２は、先端係合部２０につながる先端部１１に、接続部１６を備える。また、腕本体部１２は、該接続部１６につながる先端側部分１９に、レバー６０の外表面に係合する長手方向凹部としての溝部１７を有する。この溝部１７は、凹部１５の側壁１５ａ，１５ｂのうち接続部１６に近接した部分の内側に形成されている。従って、凹部１５の側壁１５ａ，１５ｂには、溝部１７の底面を構成する表面１７ａが形成され、溝部１７の側壁部１７ｂ，１７ｃは、凹部１５の側壁１５ａ，１５ｂのうち内面側が切欠かれた側壁に一致している。溝部１７の底壁（底面）１７ａは、締付動作の際にレバー６０の外周壁部６１の外表面に接し得るように、後述の先端係合部２０の先端腕部２１の内面２１ａに対して多少傾斜している。溝部１７は基端側に向かって（−Ｚ側に位置する程）徐々に浅くなり、溝部１７の底面１７ａは、溝部１７のない基端側部分の側壁１５ａ，１５ｂの表面１５ｃ，１５ｄに連続的につながっている。
【００６１】
ここで、腕部１０の長さは、例えば、２０〜２５ｃｍ程度である。腕本体部１２は、長さが１０ｃｍ程度で外径が２ｃｍ程度であり、把手部１４は、長さが１０〜１５ｃｍ程度で外径が腕本体部１２よりも僅かに大きい。但し、所望の機械的強度が確保され得る限り、夫々の長さや外径は、より大きくてもより小さくてもよい。また、腕本体部１２が把手部１４よりも長くてもよい。
【００６２】
なお、腕本体部１２は、全長にわたってほぼ一定の径を有する代わりに、先細になっていてもよい。また、把手１４も先細になっていても、基端側程細くなっていてもよい。
【００６３】
先端係合部２０は、基端部で腕本体部１２の先端部１１に一体的につながり＋Ｚ方向に延びた先端腕部２１と、該外先端腕部２１の先端部２２側に一体的に形成された全体としてＵ字状のフック状係合部２３とを有する。先端腕部２１は、この例では、長方形状の横断面を有する。ここで、長方形の長辺は、ＸＹ断面においてＹ方向に延びている。フック状係合部２３は、先端腕部２１の先端部２２に加えて、該先端腕部２１の先端部２２の先端から直角に＋Ｙ方向に延びた脚部連結部２４と、該脚部連結部２４の延在端から先端腕部２１の先端部２２に平行に−Ｚ方向に延びた係合突起部２５とを有する。従って、フック状係合部２３は、Ｕの内側に、係合突起部２５の内側面（−Ｙ方向に向いた面）２５ａと脚部連結部２４の内側面（−Ｚ方向に向いた面）２４ｂと先端腕部２１の先端部２２の内側面（＋Ｙ方向に向いた面）２２ａとによって規定され、−Ｚ方向に開口した凹部Ｊを有する。
【００６４】
例えば、先端係合部２０の長さは３〜４ｃｍ程度である。先端腕部２１は、例えば、Ｙ方向幅が１ｃｍ程度でＸ方向幅（厚さ）が５ｍｍ程度である。脚部連結部２４は、例えば、Ｙ方向長さが３ｍｍ程度でＺ方向幅が４ｍｍ程度である。また、係合突起部２５は、例えば、Ｚ方向長さが３〜４ｍｍ程度でＹ方向幅が２ｍｍ程度である。フック状係合部２３の先端部分２５，２４が締付バンド５の開口６４内に挿入され得、且つ所望の機械的強度が確保され得る限り、いずれも、より大きくてもより小さくてもよい。なお、脚部連結部２４及び係合突起部２５のＸ方向幅（厚さ）は、典型的には、先端腕部２１のＸ方向幅（厚さ）と同一である。但し、締付バンド５の開口６４内に挿入され得、且つ所望の機械的強度が確保され得る限り、より大きくてもより小さくてもよい。
【００６５】
先端腕部２１も＋Ｙ方向に向いた表面２１ａは平面状である。但し、曲げ強度が確保される限り、この表面２１ａに凹部があってもよい。
【００６６】
脚部連結部２４及び係合突起部２５も、夫々、Ｚ方向及びＹ方向が長辺となる長方形断面形状を有する。
【００６７】
先端係合部２０のフック状係合部２３は、枢支ピン４５のピン本体部４５ｃとレバー６０の外周壁部６１の開口縁部６６との間の間隙６７内に、係合突起部２５と脚部連結部２４のうち係合突起部２５につながる先端側部分２４ａとが挿入・取出可能な寸法形状を有する。より具体的には、フック状係合部２３のうち脚部連結部２４の外側表面２６から係合突起部２５の先端２７までの長さＬ１は、枢支ピン４５のピン本体部４５ｃとレバー６０の外周壁部６１の開口縁部６６との間の間隙６７の最大長Ｗ１（後述の図６参照）よりも大きく、係合突起部２５の厚さ（Ｙ方向長さ）Ｌ２及び脚部連結部２５の厚さ（Ｚ方向長さ）Ｌ３は、前記最大長Ｗ１よりも小さい。なお、Ｕの一対の脚部を構成する係合突起部２５と先端腕部２１の先端部２２との間の間隔すなわち突起部２５と先端部２２との間の間隙の大きさは、レバー６０の外周壁部６１の厚さよりも十分に大きい。なお、脚部連結部２４の外側表面２６と把手１４の典型的な把持部分との間の距離Ｌａは、例えば、２５ｃｍ程度である。但し、より長くてもより短くてもよい。
【００６８】
次に、以上の如く構成された締付バンド開閉補助工具１の操作について、説明する。
【００６９】
まず、図３の（ａ）及び（ｂ）に示したように、閉状態Ｐ１にある締付バンド５の開操作について、説明する。図６は、締付バンド５の一部が破断して示されている点を除いて、図３の（ａ）と同様に閉状態Ｐ１にある締付バンド５を示す。
【００７０】
まず、締付バンド開閉補助工具１の先端係合部２０のフック状係合部２３を、閉状態Ｐ１にある締付バンド５の枢支ピン４５とレバー６０の外側壁部６１との間の間隙６７内に挿入し、図６に示したように、フック状係合部２３の係合突起部２５の先端２７の内縁２７ａがレバー６０の外周壁部６１の内面６１ａに接点Ｓ１で当接し、且つフック状係合部２３の脚部連結部２４の外表面２６が枢支ピン４５の外表面４５ａに接点Ｓ２で当接するように、把手部１４を手で把持して、締付バンド開閉補助工具１をＤ１方向に回動させる。このとき、フック状係合部２３の係合突起部２５の先端２７の内縁２７ａがレバー６０の外周壁部６１の内面６１ａからの反力を受けるので、典型的には（脚部連結部２４の長さが過度に長くない限り）、フック状係合部２３のうち先端腕部２１の先端部２２の内側表面２２ａが、レバー６０の外側壁部６１の開口縁部６６に当接する。
【００７１】
この状態において、レバー６０の把手１４をＤ１方向に回動させると、締付バンド開閉補助工具１は、接点Ｓ２を支点とし、接点Ｓ１を作用点とするテコ３として働く。ここで、支点Ｓ２と作用点Ｓ１との腕の長さＬｆは数ｍｍ程度である。なお、支点Ｓ２と把手１４の典型的な把持部との間の腕の長さＬａは前述の通り２５ｃｍ程度であり、レバー６０の長さの３倍程度である。
【００７２】
従って、レバー６０をＥ１方向に開く際に要する力が、１００Ｎ程度であるとすると、把手１４に加える力は、３０〜４０Ｎ程度でよく、特に、その力を締付バンド開閉補助工具１の長く延在し且つ角度αだけ傾斜して突出した把手１４を握って該把手１４に加えればよいので、怪我等の虞れがない状態でレバー６０を極めて容易に（小さい力で短時間に）開方向Ｄ１に回動し得る。なお、この例のような場合、補助工具１の腕部１０が十分に長く把手１４はレバー６０や天蓋９０等から十分に離れて位置し、把手部１４の把持に際して邪魔になるものはないので、角度αの傾斜はなくてもよい。
【００７３】
なお、ここで、レバー６０の外側壁部６１の縁部６６近傍の接点Ｓ１のところには、１０，０００Ｎ程度の力がかかる可能性があるけれども、現在使用されている複数種類の締付バンドを、この締付バンド開閉補助工具１で実際に開いたところ、外周壁部６１に実際上何らの変形を生じさせることなく、締付バンドを開くことができた。
【００７４】
念のために、開き動作をより詳しく説明すれば、図６に示したように仮想線Ｖ１が枢支ピン４５の中心軸線Ｃ１よりも径方向内側に位置する初期状態（閉状態すなわち締付状態）Ｐ１から、図７に示したように仮想線Ｖ１が枢支ピン４５の中心軸線Ｃ１に重なる状態Ｐ３まで、締付リング３０に対して天蓋９０の外周の係合縁部９２から受ける径方向外向きの力に抗して、中心軸線Ｃ２と中心軸線Ｃ１との間の距離が徐々に短くなるので、補助工具１の把手１４に加えるべきＤ１方向の回動力は徐々に大きくなる。仮想線Ｖ１が枢支ピン４５の中心軸線Ｃ１に重なる状態Ｐ３になると、天蓋９０から締付リング３０にかかる開き力は、リンク５０の中心軸線Ｃ２，Ｃ３間の部分及びレバー６０の中心軸線Ｃ３，Ｃ１間の部分によって直接支えられるので、補助工具１の把手１４に加えるべきＤ１方向の回動力はゼロになる。
【００７５】
なお、図７からわかるように、仮想線Ｖ１が中心軸線Ｃ１に重なる状態に達すると、レバー６０は、Ｅ１方向に回動されて、締付リング３０から離れている。
【００７６】
図７の臨界位置Ｐ３を越えると、天蓋９０の外周の係合縁部９２から締付リング３０にかかる径方向外向きの力によって、締付リング３０の端部３１，３２間の間隔が拡がるように締付リング３０が変形されるので、補助工具１によってＤ１方向の力を加えなくても、レバー６０がＥ１方向に回動されて、締付バンド５が自動的に開き、図４に示したような開位置Ｐ２に達する。
【００７７】
以上において、注目されるべきことは、締付バンド５はその開き動作（締付解除動作）が容易に行われ得るように元々レバー６０を備えていることから、締付解除操作に際しては、常識的にはレバー６０の延在部分、特にその先端部６９又はその近傍部分を利用するのが通常の発想である（特許文献２の図６等に開示のバンド開き装置は、まさに、この発想に立っている）にもかかわらず、この締付バンド開閉補助工具１では、レバー６０の延在部分や先端部６９等を利用するのではなく、レバー６０の枢支部近傍部分を直接利用している点より詳しくはレバー６０の枢支部近傍にある開口を利用し、該レバー６０の枢支部近傍に力を加えるようにしている点である。この締付バンド開閉補助工具１のバンド締付解除動作に際しては、レバー６０の比較的長い腕は直接的には利用していない。この締付バンド開閉補助工具１は、このような逆転の発想に立つことなしには想到し得ない点で、独特のものである。
【００７８】
次に、締付バンド開閉補助工具１を用いた締付バンド５の閉じ操作（締付操作）について、図８（ａ）及び（ｂ）に基づいて、説明する。
【００７９】
締付バンド５を閉じる場合、例えば、図５に示した天蓋９０を缶本体８０に被せると共に、嵌合状態にある天蓋９０の外周係合部９２及び缶本体８０の開口縁部８１の外周や上下に開状態Ｐ２にある締付バンド５を事前に嵌める。
【００８０】
次に、締付バンド開閉補助工具１が先端係合部２０のフック状係合部２３で締付バンド５に係合される。より詳しくは、締付バンド開閉補助工具１のフック状係合部２３の突起部２５及び脚部連結部２４が締付バンド５の開口６４を介して間隙６７内に挿入される。なお、この締付バンド開閉補助工具１は、Ｕ字状のフック状係合部２３を備えるので、該フック状係合部２３の「Ｕ」の脚部間２５，２２の凹部Ｊがレバー６０の外周壁部６１の縁部６６を受容する向き以外の向きには、挿入されず、締付バンド開閉補助工具１は、ＹＺ平面が締付バンド５の延在面と実際上平行になるような向き（配置）を採る。
【００８１】
次に、締付バンド開閉補助工具１を、締付バンド５に対して、より詳しくは、該締付バンド５のレバー６０に対してＤ２方向に回動させる。この回動により、図８の（ｂ）に示したように、突起部２５の内面２５ａがレバー６０の外側壁部ないし外周壁部６１の縁部６６の近傍で該外周壁部６１の内面６１ａに当接し且つ先端係合部２０の先端腕部２１の内面２１ａがレバー６０の外周壁部６１の外表面６１ｂに当接すると共に、腕部１０の腕本体部１２が溝部１７内にレバー６０の外周壁部６１を抱え込む（受容する）。このとき、溝部１７の底壁１７ａも少なくとも一部においてレバー６０の外周壁部６１の外表面６１ｂに当接し得る。すなわち、前述のように、溝１７の底壁１７ａは先端腕部２１の内面２１ａに対して多少傾斜しているので、先端係合部２０の先端腕部２１の内面２１ａ（典型的にはその一部）のみでなく溝１７の底壁１７（典型的にはその一部）もレバー６０の外周壁部６１の外側面６１ｂに当接し得る。
【００８２】
なお、レバー６０は、典型的には、板金の折曲体からなるので、レバー６０の外周壁部６１は該レバー６０の側壁部６２ａ，６２ｂにつながる側縁部において多少丸みをもってつながっている。従って、溝部１７はレバー６０の外周壁部６１側の部分が完全に嵌り込むような幅である代わりに、外周壁部６１の湾曲側縁部の少なくとも一部がはまり込むような幅であればよい。
【００８３】
この状態では、レバー６０のＤ２方向回動に関する限り、締付バンド開閉補助工具１はレバー６０と実際上一体的であるとみなし得る。
【００８４】
但し、締付バンド開閉補助工具１は、その腕の長さＬａ（図１）がレバー６０の長さよりも少なくとも数倍長く且つ腕本体部１２に対して角度αだけ外向きに傾斜した把手部１４を備えるので、把手部１４がレバー６０の先端部６９から離れて位置するから、レバー６０の先端部６９等に触れることなく（従って怪我等の虞れなく）把手部１４を把持してＤ２方向回動を容易（小さい力で短時間に）に行い得る。
【００８５】
その結果、レバー６０もＥ２方向（Ｄ２方向と一致する）に回動されて、締付バンド５の締付が行われ得る。この締付動作に際しても、枢支ピン４５の中心軸線Ｃ１よりも径方向外側に位置する中心軸線Ｃ２，Ｃ３間の仮想線Ｖ１が中心軸線Ｃ１に一致するところまでレバー６０をＥ２方向に回動させると、その後は、締付バンド５に働く径方向外向きの力によって、レバー６０が自動的にＥ２方向に閉じられる。
【００８６】
なお、この締付操作に際しても、締付バンド開閉補助工具１は、レバー６０の先端部６９を利用するというよりもむしろ、レバー６０のうち枢支ピン４５に近接する基端側部分を利用する。もっとも、レバー６０の外周壁部６１の外表面６１ａへの当接に関する限り、レバー６０の先端部６９に近接する部分に当接可能であれば該部分に当接することが好ましい。但し、ここでも、レバー６０の先端部６９から相当離れた部分（基端部により近い部分）のみにおいて、外周壁部６１の外表面６１ａに当接可能になっていてもよい。
【００８７】
なお、工具１は全体として先細になっているので、作業者が腰ベルトの工具差しに差して取出自在に収納することも可能である。
【００８８】
以上において、腕本体部１２の溝部１７にレバー６０の外周壁部６１が部分的に嵌る例について説明したけれども、凹部１５自体にレバー６０の外周壁部６１が部分的に又は外周壁部６１の全体若しくは外周壁部６１及び側壁部６２ａ，６２ｂの一部が嵌り込むようになっていてもよい。その場合、凹部１５は浅くてもよい。以上において、凹部１５の横断面形状は、図示の例のように半円形の代わりに三角形その他の形状でもよい。例えば、図２の（ｂ）に示したように、凹部１５が、開口側程大きくなるように拡がった三角形状横断面の凹部１５ｍからなり、該凹部１５の上部にレバー６０の外周壁部６１が例えば２ｍｍ程度嵌り込むようになっていてもよい。この場合、凹部１５ｍの底部は、レバー６０の支持に直接関与しないので、重量（軽さ）や機械的強度を考慮して、平らな直線状（平面状）でも、Ｕ字状に湾曲していても、他の形状でもよい。
【００８９】
以上においては、締付バンド５の開閉（開きと閉じとの両方）を行い得る開閉補助工具の好ましい一例について説明したけれども、例えば、腕本体部１２のうち内側表面１２ｃにレバー６０の外周壁部６１の外表面に多少なりとも係合する凹みがある限り溝部１７や凹部１５を欠いていてもよく、その場合でも、実際には、開閉補助工具として機能し得る。なお、溝部１７がなくても、凹部１５が外周壁部６１の少なくとも一部に係合する凹部として機能し得る限りは、実際上、締付バンド開閉補助具として働き得る。
【００９０】
一方、内側表面１２ｃが横断面で見て外向きに凸状になっていて、レバー６０の外周壁部６１を実際上支え難い場合には、そのような補助工具は、締付バンド５の開き専用の締付バンド開き補助工具として働く。
【００９１】
他方、例えば、先端係合部２０のフック状係合部２３のうち係合突起部２５が短くて、脚部連結部２４の外側面２６が枢支ピン４５に当接すると係合突起部２５がレバー６０の外周壁部６１の縁部６６に引っ掛らず開口６４から抜けてしまうような場合、補助工具は、閉じ専用の締付バンド閉じ（締付）補助工具として働く。
【００９２】
締付バンド５は、枢支ピン４５を露出させる開口６４を規定する先端側周壁部６５を備える限り、その詳細な構造はどのようなものであってもよく、例えば、レバー６０の側壁部６２ａ，６２ｂの基端側端部６３ａ，６３ｂがピン支持壁部４４ａ，４４ｂよりも内側にあったり、レバー６０の外周壁部６１がピン４５よりも奥（内周側）にありしてもよい。
【００９３】
開口６４から間隙６７内に挿入可能であると共に「Ｕ」の一対の脚部を構成する係合突起部２５と先端腕部２１の先端部２２との間に開口６４の（レバー６０の）先端側周壁部６５の開口縁部（基端側縁部）６６を受容可能であって、且つＤ１方向の開き操作の際に係合突起部２５の内縁部で先端側周壁部６５の内面６１ａに当接可能であると共に脚部連結部２４の外側面２６で枢支ピン４５の外周面に当接可能であり、また、Ｄ２方向の閉じ操作の際に係合突起部２５の内面２５ａで先端側周壁部６５の内面６１ａに当接可能で且つ腕部１０の内面でレバー６０の外周壁部６１の外表面６１ｂに当接可能である限り、締付バンド開閉補助工具１の先端係合部２０のフック状係合部２３は、どのような形状であってもよい。例えば、係合突起部２５が、直線状である代わりに曲がっていても、先端腕部２１の先端部２２に対して非平行であっても（例えば、係合突起部２５の開口６４への挿入や該開口６４からの取出が容易になるように−Ｚ側程（すなわちＵの凹部Ｊの開口側程）相互の間隔が大きくなっていても、その逆に小さくなっていても）よく、また、脚部連結部２４に対して直角である代わりに斜めになっていていもよい。脚部連結部２４についても同様で、直線状である代わりに曲がっていても、係合突起部２５や先端腕部２１の先端部２２に対して直角である代わりに、斜めに延びていてもよい。また、脚部連結部２４と係合突起部２５とが隅部において図に示したように滑らかに湾曲した曲面でつながる代わりに、斜めの接続面でつながっていてもよく、機械的強度が確保される場合には、直角な隅部があってもよい。更に、この例では、フック状係合部２３を構成する各部２２，２４，２５のＹ方向厚さが同一であるとして説明したけれども、開口６４を介した間隙６７に対する出し入れを許容し且つ機械的強度が確保され得る限り、先端側程細くなるようになっていても、一部が肥大化していても、一部が細くなっていてもよい。脚部連結部２４の外側面２６は、直線状である代わりに、外に向かって凸又は凹状に湾曲していてもよい。
【００９４】
更に、この例では、先端腕部２１が先端係合部２０の一部であるとして説明したけれども、先端腕部２１のうち先端部２２を除く部分を腕部１０の腕本体部１２の一部とみなしてもよい。その場合、先端腕部２１の先端部２２のみを先端係合部２０の一部とみなせばよい。ここで、先端腕部２１の先端部２２は、部位２５，２４と共に開口Ｊを規定する「Ｕ」を構成する部分を指す。従って、先端腕部２１の先端部２２は、限りなく短くてもよい。
【図面の簡単な説明】
【００９５】
【図１】本発明による好ましい一実施例の締付バンド開閉補助工具を側面側からみた説明図。
【図２】図１の締付バンド開閉補助工具を説明するための図で、（ａ）は図１の締付バンド開閉補助工具の斜視説明図、（ｂ）は変形例の締付バンド開閉補助工具についての（ａ）のＩＩＢ−ＩＩＢ線断面説明図。
【図３】図５のペール缶が閉状態にある際における該ペール缶の締付バンドの締付機構の部分を拡大して示したもので、（ａ）は平面説明図、（ｂ）は正面説明図。
【図４】図３の締付バンドを開いた状態において締付バンドの締付機構の部分を拡大して示した斜視説明図（但し、図１の補助工具が適用された状態で示されている）。
【図５】図１の補助工具が適用されるバンド式ペール缶の分解斜視説明図。
【図６】図３の状態にある締付バンドに対して、該締付バンドを開くために、図１の締付バンド開閉補助工具のフック状係合部の先端部を締付バンドの枢支ピンとレバーの側縁との間の開口に挿入して、締付バンドの開き操作を開始する状態を示した一部破断平面説明図。
【図７】締付バンド開閉補助工具によって締付バンドの開き操作が臨界位置まで達した状態を示した図６と同様な平面説明図。
【図８】締付バンド開閉補助工具による締付バンドの締付操作を説明したもので、（ａ）は図６や図７と同様な平面説明図、（ｂ）は（ａ）の一部破断平面説明図。
【符号の説明】
【００９６】
１  締付バンド開閉補助工具
３  テコ
５  締付バンド
１０  腕部
１２  腕本体部
１４  把手部
１５  凹部
１７  溝部
１７ａ  溝の底壁部
１７ｂ，１７ｃ  溝の側壁部
１９  先端側部分
２０  先端係合部
２１  先端腕部
２２  先端腕部の先端部
２３  Ｕ字状のフック状係合部
２４  脚部連結部
２５  係合突起部
２６  脚部連結部の外側表面
２７  係合突起部の先端
２７ａ  係合突起部の先端の内縁
３０  締付リング
３１，３２  締付リングの端部
３３  締付リングの本体部
３５，３６  Ｃ字状締付リングの端縁
３８，３９  ピン支持体
４１，４４  ピン支持壁部
４２，４５，５３  枢支ピン
４２ａ，４５ａ，５３ａ  大径頭部
４２ｂ，４５ｂ，５３ｂ  カシメ端部
４５ｃ  枢支ピン本体
５０  リンク
５１，５１ａ，５１ｂ  リンク部材
６０  レバー
６１  外周壁部
６２，６２ａ，６２ｂ  側壁部
６３，６３ａ，６３ｂ  レバーの（側壁の）枢支側端部（基端部）
６４  開口
６５  外周壁部の先端側周壁部
６６  外周壁部の先端側周壁部の縁部
６７  周方向間隙
６８  レバーのリンクとの接続部位
６９  レバーの腕側端部（先端部）
７０  被係合孔部
８０  缶本体
８１  開口縁部
９０  天蓋
９１  蓋本体
９２  外周係合部
Ａ  締付リングの端部間の周方向間隙
Ｃ１，Ｃ２，Ｃ３  回動中心軸線
Ｄ１  開き操作（締付解除操作）における締付バンド開閉補助工具の回動方向
Ｄ２  閉じ操作（締付操作）における締付バンド開閉補助工具の回動方向
Ｅ１  開き操作（締付解除操作）におけるレバーの回動方向
Ｅ２  閉じ操作（締付操作）におけるレバーの回動方向
Ｇ  間隙の大きさ
Ｊ  先端係合部のＵ字状のフック状係合部の脚部間の凹部
Ｌ１  脚部連結部の外表面から係合突起部２５の先端までの長さ
Ｌａ  締付バンド開閉補助工具の腕の長さ
Ｌｆ  支点と作用点との間の腕の長さ
Ｐ１  締付バンドの閉状態（開位置）
Ｐ２  締付バンドの開状態（閉位置）
Ｑ１  締付リングの開位置
Ｑ２  締付リングの締付位置
Ｓ１  支点
Ｓ２  作用点
Ｔ１  レバーの閉状態（開位置）
Ｔ２  レバーの開状態（閉位置）
Ｗ１  枢支ピン本体部とレバーの外周壁部の縁部との間隙の最小長
α  傾斜角度
【図１】
2008101722.tif 000003
【図２】
2008101722.tif 000004
【図３】
2008101722.tif 000005
【図４】
2008101722.tif 000006
【図５】
2008101722.tif 000007
【図６】
2008101722.tif 000008
【図７】
2008101722.tif 000009
【図８】
2008101722.tif 000010